(57)【要約】【課題】３次元空間に画像を属性値に応じて位置させて一の視点から見たように表示させるときの属性値のおおまかな把握を容易にさせる３次元仮想空間表示制御方法及びシステムを提供する。【解決手段】表示制御サーバ１の配置情報生成部１３は、複数の画像のそれぞれに関連づけられた属性値により当該複数の画像をグループ化した場合の各グループの位置を示す位置情報を演算し、表示制御部１１及び表示情報生成部１２は、表示端末２において、演算された位置情報で示される位置に各グループの画像を位置させるので、属性値のおおまかな把握が容易になる。【選択図】      図１
2005004614.tif 000002
【特許請求の範囲】
【請求項１】
３次元空間に画像を位置させて一の視点から見たように表示させる３次元仮想空間表示制御方法において、
複数の画像のそれぞれに関連づけられた属性値により当該複数の画像をグループ化した場合の各グループの位置を示す位置情報を演算し、該演算された位置情報で示される位置に各グループの画像を位置させる
ことを特徴とする３次元仮想空間表示制御方法。
【請求項２】
予め定められたグループ数でグループ化した場合の各グループの位置を示す位置情報を演算することを特徴とする請求項１記載の３次元仮想空間表示制御方法。
【請求項３】
画像の表示先を示す表示先情報または画像の数を基にグループ数を求めるまたは画像の表示先がグループ数を指定することを特徴とする請求項２記載の３次元仮想空間表示制御方法。
【請求項４】
予め定められた同一グループ内での画像の表示態様にしたがって同一グループ内の画像を表示させることを特徴とする請求項１ないし３のいずれかに記載の３次元仮想空間表示制御方法。
【請求項５】
画像の表示先を示す表示先情報または画像の数を基に同一グループ内での画像の表示態様を求めるまたは画像の表示先が表示態様を指定することを特徴とする請求項４記載の３次元仮想空間表示制御方法。
【請求項６】
画像の表示先が、グループ化に利用される前記属性値の属性名を指定することを特徴とする請求項１ないし５のいずれかに記載の３次元仮想空間表示制御方法。
【請求項７】
表示される画像を該画像のＵＲＬを基に取得することを特徴とする請求項１ないし６のいずれかに記載の３次元仮想空間表示制御方法。
【請求項８】
３次元空間に画像を位置させて一の視点から見たように表示させる３次元仮想空間表示制御システムにおいて、
１つの画像についての複数の属性値が含まれた属性情報が複数の画像について格納される属性情報記憶手段と、
画像の表示先を示す表示先情報が特定の情報でありグループ化に利用される属性値についての属性名の数が特定の数の場合は特定のグループ数でグループ化し同一グループ内での画像の表示態様を特定の表示態様にすることを示す定義情報が複数含まれる手段と、
画像の表示先から該表示先を示す表示先情報を受信する手段と、
前記属性情報記憶手段から予め定められた属性値を含む複数の属性情報を検索する手段と、
前記複数の定義情報のなかの、受信された前記表示先情報と、グループ化に利用される属性値のものとして予め定められた属性名の数とについての定義情報を基に、属性情報を検索された前記複数の画像をグループ化する場合のグループ数を求め、前記受信された表示先情報と前記属性名の数とについての前記定義情報を基に、同一グループ内での画像の表示態様を求め、属性情報を検索された前記複数の画像を、予め定められた前記属性名の属性値により、求められた前記グループ数でグループ化した場合の、各グループの位置を示す位置情報を演算する手段と、
画像の前記表示先に、属性情報を検索された前記複数の画像を表示させ、かつ表示の際に、前記演算された位置情報で示される位置に各グループの画像を位置させ、前記求められた表示態様にしたがって同一グループ内の画像を表示させる手段と
を備えることを特徴とする３次元仮想空間表示制御システム。
【発明の詳細な説明】
【０００１】
【発明の属する技術分野】
本発明は、３次元空間に画像を属性値に応じて位置させて一の視点から見たように表示させるときの属性値のおおまかな把握を容易にさせる３次元仮想空間表示制御方法及びシステムに関する。
【０００２】
【従来の技術】
ネットオークションにおける商品の表示方法に関する技術として、商品の画像を仮想３次元空間上に表示するシステム（特許文献１参照）がある。このシステムでは、例えば価格が高いほど、画像は中央から離れた位置に表示される。
【０００３】
【特許文献１】
特開２００３−１４１３９４号公報
【０００４】
【発明が解決しようとする課題】
しかしながら、上記のシステムを利用した場合、表示装置の解像度などによっては、正確な画像の位置を把握することが困難となる。逆に、１０，０００円未満、１０，０００円台、２０，０００円以上というように、グループ化したほうが便利に使える場合がある。
【０００５】
そこで本発明は、上記の従来の課題に鑑みてなされたものであり、その目的とするところは、３次元空間に画像を属性値に応じて位置させて一の視点から見たように表示させるときの属性値のおおまかな把握を容易にさせる３次元仮想空間表示制御方法及びシステムを提供することにある。
【０００６】
【課題を解決するための手段】
上記従来の課題を解決するために、請求項１の本発明は、３次元空間に画像を位置させて一の視点から見たように表示させる３次元仮想空間表示制御方法において、複数の画像のそれぞれに関連づけられた属性値により当該複数の画像をグループ化した場合の各グループの位置を示す位置情報を演算し、該演算された位置情報で示される位置に各グループの画像を位置させることを特徴とする３次元仮想空間表示制御方法をもって解決手段とする。
【０００７】
請求項１の３次元仮想空間表示制御方法によれば、３次元空間に画像を位置させて一の視点から見たように表示させる３次元仮想空間表示制御方法において、複数の画像のそれぞれに関連づけられた属性値により当該複数の画像をグループ化した場合の各グループの位置を示す位置情報を演算し、該演算された位置情報で示される位置に各グループの画像を位置させるので、属性値のおおまかな把握が容易になる。
【０００８】
請求項２の本発明は、予め定められたグループ数でグループ化した場合の各グループの位置を示す位置情報を演算することを特徴とする請求項１記載の３次元仮想空間表示制御方法をもって解決手段とする。
【０００９】
請求項２の３次元仮想空間表示制御方法は、予め定められたグループ数でグループ化した場合の各グループの位置を示す位置情報を演算するので、逐一グループ数を指定等する必要がない。
【００１０】
請求項３の本発明は、画像の表示先を示す表示先情報または画像の数を基にグループ数を求めるまたは画像の表示先がグループ数を指定することを特徴とする請求項２記載の３次元仮想空間表示制御方法をもって解決手段とする。
【００１１】
請求項３の３次元仮想空間表示制御方法によれば、画像の表示先を示す表示先情報または画像の数を基にグループ数を求めるまたは画像の表示先がグループ数を指定するので、画像の表示先または画像の数に応じたグループ数で表示が行える。
【００１２】
請求項４の本発明は、予め定められた同一グループ内での画像の表示態様にしたがって同一グループ内の画像を表示させることを特徴とする請求項１ないし３のいずれかに記載の３次元仮想空間表示制御方法をもって解決手段とする。
【００１３】
請求項４の３次元仮想空間表示制御方法によれば、予め定められた同一グループ内での画像の表示態様にしたがって同一グループ内の画像を表示させるので、同一グループ内での画像の表示態様を予め決めておくことができる。
【００１４】
請求項５の本発明は、画像の表示先を示す表示先情報または画像の数を基に同一グループ内での画像の表示態様を求めるまたは画像の表示先が表示態様を指定することを特徴とする請求項４記載の３次元仮想空間表示制御方法をもって解決手段とする。
【００１５】
請求項５の３次元仮想空間表示制御方法によれば、画像の表示先を示す表示先情報または画像の数を基に同一グループ内での画像の表示態様を求めるまたは画像の表示先が表示態様を指定するので、同一グループ内での画像の表示態様を画像の表示先または画像の数に応じたものにできる。
【００１６】
請求項６の本発明は、画像の表示先が、グループ化に利用される前記属性値の属性名を指定することを特徴とする請求項１ないし５のいずれかに記載の３次元仮想空間表示制御方法をもって解決手段とする。
【００１７】
請求項６の３次元仮想空間表示制御方法によれば、画像の表示先が、グループ化に利用される前記属性値の属性名を指定するので、画像の表示先に応じた属性名の属性値でグループ化することができる。
【００１８】
請求項７の本発明は、表示される画像を該画像のＵＲＬを基に取得することを特徴とする請求項１ないし６のいずれかに記載の３次元仮想空間表示制御方法をもって解決手段とする。
【００１９】
請求項７の３次元仮想空間表示制御方法によれば、表示される画像を該画像のＵＲＬを基に取得するので、画像を予め取得保存等しておく必要がない。
【００２０】
請求項８の本発明は、３次元空間に画像を位置させて一の視点から見たように表示させる３次元仮想空間表示制御システムにおいて、１つの画像についての複数の属性値が含まれた属性情報が複数の画像について格納される属性情報記憶手段と、画像の表示先を示す表示先情報が特定の情報でありグループ化に利用される属性値についての属性名の数が特定の数の場合は特定のグループ数でグループ化し同一グループ内での画像の表示態様を特定の表示態様にすることを示す定義情報が複数含まれる手段と、画像の表示先から該表示先を示す表示先情報を受信する手段と、前記属性情報記憶手段から予め定められた属性値を含む複数の属性情報を検索する手段と、前記複数の定義情報のなかの、受信された前記表示先情報と、グループ化に利用される属性値のものとして予め定められた属性名の数とについての定義情報を基に、属性情報を検索された前記複数の画像をグループ化する場合のグループ数を求め、前記受信された表示先情報と前記属性名の数とについての前記定義情報を基に、同一グループ内での画像の表示態様を求め、属性情報を検索された前記複数の画像を、予め定められた前記属性名の属性値により、求められた前記グループ数でグループ化した場合の、各グループの位置を示す位置情報を演算する手段と、画像の前記表示先に、属性情報を検索された前記複数の画像を表示させ、かつ表示の際に、前記演算された位置情報で示される位置に各グループの画像を位置させ、前記求められた表示態様にしたがって同一グループ内の画像を表示させる手段とを備えることを特徴とする３次元仮想空間表示制御システムをもって解決手段とする。
【００２１】
請求項８の３次元仮想空間表示制御システムによれば、３次元空間に画像を位置させて一の視点から見たように表示させる３次元仮想空間表示制御システムにおいて、１つの画像についての複数の属性値が含まれた属性情報が複数の画像について格納される属性情報記憶手段と、画像の表示先を示す表示先情報が特定の情報でありグループ化に利用される属性値についての属性名の数が特定の数の場合は特定のグループ数でグループ化し同一グループ内での画像の表示態様を特定の表示態様にすることを示す定義情報が複数含まれる手段と、画像の表示先から該表示先を示す表示先情報を受信する手段と、前記属性情報記憶手段から予め定められた属性値を含む複数の属性情報を検索する手段と、前記複数の定義情報のなかの、受信された前記表示先情報と、グループ化に利用される属性値のものとして予め定められた属性名の数とについての定義情報を基に、属性情報を検索された前記複数の画像をグループ化する場合のグループ数を求め、前記受信された表示先情報と前記属性名の数とについての前記定義情報を基に、同一グループ内での画像の表示態様を求め、属性情報を検索された前記複数の画像を、予め定められた前記属性名の属性値により、求められた前記グループ数でグループ化した場合の、各グループの位置を示す位置情報を演算する手段と、画像の前記表示先に、属性情報を検索された前記複数の画像を表示させ、かつ表示の際に、前記演算された位置情報で示される位置に各グループの画像を位置させ、前記求められた表示態様にしたがって同一グループ内の画像を表示させる手段とを備えるので、画像の表示先においては、属性値のおおまかな把握が容易になる。
【００２２】
【発明の実施の形態】
以下、本発明の実施の形態を図面を参照して説明する。
【００２３】
図１は、本発明の３次元仮想空間表示制御システムを含むシステムの構成を示す図である。表示制御サーバ１と表示端末２それぞれはコンピュータシステムであり、インターネット（図示省略）を介して相互通信可能に構成されている。
【００２４】
表示制御サーバ１は、物品などのコンテンツの画像を３次元空間に位置させて一の視点から見たように表示させるコンピュータシステムであり、表示端末２からの要求により生成された表示情報を表示端末２に送信する表示制御部１１と、表示情報を生成する表示情報生成部１２と、画像の位置情報等を含む配置情報を生成する配置情報生成部１３と、表示情報を生成するための表示基本情報が格納された表示基本情報データベース（図面及び以下の説明ではＤＢと記す）１４と、コンテンツの属性を示すコンテンツ属性情報が格納されたコンテンツ属性情報ＤＢ１５と、グループ化の方法等が示されたグループ化定義ファイル１６を備えている。
【００２５】
表示端末２は、表示制御サーバ１から送信される表示情報により表示領域への表示を行うシーン表示部２１を備えている。
【００２６】
コンテンツ属性情報ＤＢ１５には、多数のコンテンツそれぞれの属性を示すコンテンツ属性情報が保存されている。コンテンツ属性情報は、コンテンツ名という属性名の属性値（時計、自動車など）、コンテンツの価格という属性名の属性値（１０，０００円、２０，０００円など）、コンテンツの画像のＵｎｉｖｅｒｓａｌ  Ｒｅｓｏｕｒｃｅ  Ｌｏｃａｔｏｒ（ＵＲＬと記す）という属性名の属性値（ｈｔｔｐ：／／で始まるものなど）、コンテンツの人気指数という属性名の属性値からなる。
【００２７】
属性値「時計」を有する各コンテンツ属性情報には、例えば、国内で販売されている時計それぞれの価格と画像のＵＲＬと人気指数が含まれる。
【００２８】
表示基本情報データベース１４には、コンテンツ属性情報を属性値「時計」で検索するとともに検索結果等を属性名「価格」でグループ化することを示す基本表示情報１４１が保存されている。つまり、基本表示情報１４１において属性値「時計」と属性名「価格」とが対応づけられている。
【００２９】
グループ化定義ファイル１６には、端末情報が「キオスク端末」でグループ化に利用される属性値の属性名の数が「１」の場合はグループ数「３」でグループ化し同一グループ内での画像の表示態様が「横に回転軸を構成して順方向に回転」であることを示すグループ化定義情報１６１と、端末情報が「縦長端末」でグループ化に利用される属性値の属性名の数が「１」の場合はグループ数「３」でグループ化し同一グループ内での画像の表示態様が「奥行きが同一の画像の列を奥行きを異にして複数列つくる」ことを示すグループ化定義情報１６２と、端末情報が「２１インチ」でグループ化に利用される属性値の属性名の数が「２」の場合はグループ数「９」でグループ化し同一グループ内での画像の表示態様が「奥行きを異にした直列」であることを示すグループ化定義情報１６３などが含まれている。
【００３０】
つまり、グループ化定義情報１６１では、端末情報「キオスク端末」と属性名の数「１」にグループ数「３」と表示態様「横に回転軸を構成して順方向に回転」が対応づけられている。グループ化定義情報１６２では、端末情報「縦長端末」と属性名の数「１」にグループ数「３」と表示態様「奥行きが同一の画像の列を奥行きを異にして複数列つくる」が対応づけられている。グループ化定義情報１６３では、端末情報「２１インチ」と属性名の数「２」にグループ数「９」と表示態様「奥行きを異にした直列」けられている。
【００３１】
次に、本発明の３次元仮想空間表示制御方法を含む本実施の形態の作用を説明する。
【００３２】
［キオスク端末の場合］
シーン表示部２１は表示制御部１１に、例えば、端末情報「キオスク端末」を送信し（ステップＳ１）、続けて表示制御部１１に表示情報要求を行う（ステップＳ３）。表示制御部１１は表示情報生成部１２に端末情報「キオスク端末」を与えて表示情報を要求する（ステップＳ５）。表示情報生成部１２は、表示基本情報データベース１４から基本表示情報１４１を読み出す（ステップＳ７）。
【００３３】
表示情報生成部１２は、端末情報「キオスク端末」と基本表示情報１４１を配置情報生成部１３に与えて配置情報を要求する（ステップＳ９）。
【００３４】
配置情報生成部１３は、基本表示情報１４１にしたがって、コンテンツ属性情報ＤＢ１５から属性値「時計」を含むコンテンツ属性情報、つまり国内で販売されている時計のコンテンツ属性情報を検索して読み出す（ステップＳ１１）。
【００３５】
配置情報生成部１３は、端末情報が「キオスク端末」でグループ化に利用される属性値の属性名の数が「１」（価格のみ）であるので、当該内容のグループ化定義ファイル１６のグループ化定義情報１６１にしたがって、コンテンツを価格によりグループ数「３」でグループ化した場合の各グループの位置情報を演算する（ステップＳ１３）。
【００３６】
配置情報生成部１３は、読み出した各コンテンツ属性情報における各コンテンツの画像のＵＲＬと、演算した各グループの位置情報と、グループ化定義情報１６１に示された同一グループ内での画像の表示態様「横に回転軸を構成して順方向に回転」からなる配置情報１３１を表示情報生成部１２に与える（ステップＳ１５）。
【００３７】
表示情報生成部１２は、通知された配置情報１３１の画像のＵＲＬを基に時計の画像を取得し、該取得した画像、通知された配置情報１３１の各グループの位置情報、通知された配置情報１３１の表示態様「横に回転軸を構成して順方向に回転」を基に、シーン表示部２１が解釈可能な形式の表示情報を生成し表示制御部１１に与える（ステップＳ１７）。
【００３８】
表示制御部１１は、与えられた表示情報をシーン表示部２１に送信する（ステップＳ１９）。
【００３９】
シーン表示部２１は、送信された表示情報にしたがって図２に示すように、横方向に価格軸をとった表示を行う（ステップＳ２１）。
【００４０】
価格軸を回転軸として３つの円筒が順方向（図２の矢印の方向）に自転している。左の円筒の周囲には、最低の価格範囲に属する複数の時計の画像がマッピングされ（貼り付けられ）ている。中央の円筒の周囲には、１段階高い価格範囲に属する複数の時計の画像がマッピングされている。右の円筒の周囲には、最高の価格範囲に属する複数の時計の画像がマッピングされている。
【００４１】
したがって、当該表示をみた利用者は、国内で販売されている時計の価格を直感的に把握することができる。
【００４２】
［縦長端末の場合］
今度は、シーン表示部２１が表示制御部１１に、端末情報「縦長端末」を送信し（ステップＳ１）、続けて表示制御部１１に表示情報要求を行った（ステップＳ３）こととする。
【００４３】
表示制御部１１は表示情報生成部１２に端末情報「縦長端末」を与える（ステップＳ５）。表示情報生成部１２は、表示基本情報データベース１４から基本表示情報１４１を読み出す（ステップＳ７）。表示情報生成部１２は、端末情報「縦長端末」と基本表示情報１４１を配置情報生成部１３に与えて配置情報を要求する（ステップＳ９）。
【００４４】
配置情報生成部１３は、基本表示情報１４１にしたがって、コンテンツ属性情報ＤＢ１５から属性値「時計」を含むコンテンツ属性情報、つまり国内で販売されている時計のコンテンツ属性情報を検索して読み出す（ステップＳ１１）。
【００４５】
配置情報生成部１３は、端末情報が「縦長端末」でグループ化に利用される属性値の属性名の数が「１」（価格のみ）であるので、当該内容のグループ化定義ファイル１６のグループ化定義情報１６２にしたがって、コンテンツを価格によりグループ数「３」でグループ化した場合の各グループの位置情報を演算する（ステップＳ１３）。
【００４６】
配置情報生成部１３は、読み出した各コンテンツ属性情報における各コンテンツの画像のＵＲＬと、演算した各グループの位置情報と、グループ化定義情報１６２に示された同一グループ内での画像の表示態様「奥行きが同一の画像の列を奥行きを異にして複数列つくる」からなる配置情報１３２を表示情報生成部１２に与える（ステップＳ１５）。
【００４７】
表示情報生成部１２は、通知された配置情報１３２の画像のＵＲＬを基に時計の画像を取得し、該取得した画像、通知された配置情報１３２の各グループの位置情報、通知された配置情報１３２の表示態様「奥行きが同一の画像の列を奥行きを異にして複数列つくる」を基に、シーン表示部２１が解釈可能な形式の表示情報を生成し表示制御部１１に与える（ステップＳ１７）。
【００４８】
表示制御部１１は、与えられた表示情報をシーン表示部２１に送信する（ステップＳ１９）。
【００４９】
シーン表示部２１は、送信された表示情報にしたがって図３に示すように、縦に価格軸をとった表示を行う（ステップＳ２１）。表示領域の下部においては、最低の価格範囲に属する複数の時計の画像が表示されている。表示領域の中央部においては、１段階高い価格範囲に属する複数の時計の画像が表示されている。表示領域の上部においては、最高の価格範囲に属する複数の時計の画像が表示されている。各グループにおいては、奥行きが同一の画像の列が奥行きを異にして複数列つくられている。
【００５０】
したがって、当該表示をみた利用者は、国内で販売されている時計の価格を直感的に把握することができる。
【００５１】
［２１インチの場合］
今度は、表示基本情報データベース１４には、基本表示情報１４１の代わりに、コンテンツ属性情報を属性値「時計」で検索するとともに検索結果等を属性名「価格」と「人気」とでグループ化することを示す基本表示情報１４２が保存され、シーン表示部２１が表示制御部１１に、端末情報「２１インチ」を送信し（ステップＳ１）、続けて表示制御部１１に表示情報要求を行った（ステップＳ３）こととする。
【００５２】
表示制御部１１は表示情報生成部１２に端末情報「２１インチ」を与える（ステップＳ５）。表示情報生成部１２は、表示基本情報データベース１４から基本表示情報１４２を読み出す（ステップＳ７）。表示情報生成部１２は、端末情報「２１インチ」と基本表示情報１４２を配置情報生成部１３に与えて配置情報を要求する（ステップＳ９）。
【００５３】
配置情報生成部１３は、基本表示情報１４２にしたがって、コンテンツ属性情報ＤＢ１５から属性値「時計」を含むコンテンツ属性情報、つまり国内で販売されている時計のコンテンツ属性情報を検索して読み出す（ステップＳ１１）。
【００５４】
配置情報生成部１３は、端末情報が「２１インチ」でグループ化に利用される属性値の属性名の数が「２」（価格と人気指数）であるので、当該内容のグループ化定義ファイル１６のグループ化定義情報１６３にしたがって、コンテンツを価格と人気指数によりグループ数「９」でグループ化した場合の各グループの位置情報を演算する（ステップＳ１３）。
【００５５】
配置情報生成部１３は、読み出した各コンテンツ属性情報における各コンテンツの画像のＵＲＬと、演算した各グループの位置情報と、グループ化定義情報１６１に示された同一グループ内での画像の表示態様「奥行きを異にした直列」からなる配置情報１３３を表示情報生成部１２に与える（ステップＳ１５）。
【００５６】
表示情報生成部１２は、通知された配置情報１３３の画像のＵＲＬを基に時計の画像を取得し、該取得した画像、通知された配置情報１３３の各グループの位置情報、通知された配置情報１３３の表示態様「奥行きを異にした直列」を基に、シーン表示部２１が解釈可能な形式の表示情報を生成し表示制御部１１に与える（ステップＳ１７）。
【００５７】
表示制御部１１は、与えられた表示情報をシーン表示部２１に送信する（ステップＳ１９）。
【００５８】
シーン表示部２１は、送信された表示情報にしたがって、図４に示すような、横軸に価格、縦軸に人気指数をとった表示を行う（ステップＳ２１）。
【００５９】
表示領域の下部においては、最低の人気指数範囲に属する複数の時計の画像が表示されている。その下部の左部分においては、最低の価格範囲に属する複数の時計の画像が表示されている。当該下部の中央部分においては、一段高いの価格範囲に属する複数の時計の画像が表示されるのだが、該当のコンテンツがないので表示がされないでいる。当該下部の右部分においては、最高の価格範囲に属する複数の時計の画像が表示されている。
【００６０】
中央部においては、１段階高い人気指数範囲に属する複数の時計の画像が表示されている。その中央部の左部分においては、最低の価格範囲に属する複数の時計の画像が表示されるのだが、該当のコンテンツがないので表示がされないでいる。当該中央部の中央部分においては、一段高いの価格範囲に属する複数の時計の画像が表示されている。当該中央部の右部分においては、最高の価格範囲に属する複数の時計の画像が表示されるのだが、該当のコンテンツがないので表示がされないでいる。
【００６１】
表示領域の上部においては、最低の人気指数範囲に属する複数の時計の画像が表示されている。その上部の左部分においては、最低の価格範囲に属する複数の時計の画像が表示されている。当該上部の中央部分においては、一段高いの価格範囲に属する複数の時計の画像が表示されるのだが、該当のコンテンツがないので表示がされないでいる。当該上部の右部分においては、最高の価格範囲に属する複数の時計の画像が表示されている。
【００６２】
各グループにおいては、奥行きを異にした直列に画像が表示されている。
【００６３】
したがって、当該表示をみた利用者は、国内で販売されている時計の価格と人気を直感的に把握することができる。
【００６４】
以上説明したように、本実施の形態によれば、複数の画像のそれぞれに関連づけられた属性値により当該複数の画像をグループ化した場合の各グループの位置を示す位置情報を演算し、該演算された位置情報で示される位置に各グループの画像を位置させるので、属性値のおおまかな把握が容易になる。
【００６５】
また、予め定められたグループ数でグループ化した場合の各グループの位置を示す位置情報を演算するので、逐一グループ数を指定等する必要がない。
【００６６】
また、画像の表示先を示す表示先情報としての端末情報を基にグループ数を求めるので、画像の表示先に応じたグループ数で表示が行える。
【００６７】
また、予め定められた同一グループ内での画像の表示態様にしたがって同一グループ内の画像を表示させるので、同一グループ内での画像の表示態様を予め決めておくことができる。
【００６８】
また、画像の表示先を示す表示先情報としての端末情報を基に同一グループ内での画像の表示態様を求めるので、同一グループ内での画像の表示態様を画像の表示先に応じたものにできる。
【００６９】
また、画像の表示先である表示端末２が、グループ化に利用される属性値の属性名を指定するので、画像の表示先に応じた属性名の属性値でグループ化することができる。
【００７０】
また、表示される画像を該画像のＵＲＬを基に取得するので、画像を予め取得保存等しておく必要がない。
【００７１】
また、本実施の形態のシステムは、３次元空間に画像を位置させて一の視点から見たように表示させる３次元仮想空間表示制御システムを含んでおり、当該３次元仮想空間表示制御システムは、１つの画像についての複数の属性値が含まれた属性情報が複数の画像について格納される属性情報記憶手段であるコンテンツ属性情報ＤＢ１５と、画像の表示先を示す表示先情報である端末情報が特定の情報でありグループ化に利用される属性値についての属性名の数が特定の数の場合は特定のグループ数でグループ化し同一グループ内での画像の表示態様を特定の表示態様にすることを示す定義情報が複数含まれるグループ化定義ファイル１６と、画像の表示先から該表示先を示す表示先情報を受信する表示制御部１１と、コンテンツ属性情報ＤＢ１５から予め定められた属性値を含む複数の属性情報を検索する手段としての配置情報生成部１３と、グループ化定義ファイル１６に格納された複数の定義情報のなかの、受信された前記端末情報と、グループ化に利用される属性値のものとして予め定められた属性名の数とについての定義情報を基に、属性情報を検索された前記複数の画像をグループ化する場合のグループ数を求め、受信された表示先情報と属性名の数とについての前記定義情報を基に、同一グループ内での画像の表示態様を求め、属性情報を検索された前記複数の画像を、予め定められた前記属性名の属性値により、求められた前記グループ数でグループ化した場合の、各グループの位置を示す位置情報を演算する手段としての配置情報生成部１３と、画像の前記表示先に、属性情報を検索された前記複数の画像を表示させ、かつ表示の際に、前記演算された位置情報で示される位置に各グループの画像を位置させ、前記求められた表示態様にしたがって同一グループ内の画像を表示させる表示制御部１１及び表示情報生成部１２を備えるので、画像の表示先である表示端末２においては、属性値のおおまかな把握が容易になる。
【００７２】
［他の実施の形態］
なお、上記実施の形態では、グループ化に利用される属性値についての（１）属性名の数が予め基本表示情報に定められ、（２）グループ数及び（３）表示態様は、端末情報と（１）属性名の数とによりグループ化定義情報から求められたが、（１）属性名の数、（２）グループ数、（３）表示態様のいずれか１以上を、検索されたコンテンツ属性情報の数により求めてもよい。
【００７３】
また、（１）属性名の数、（２）グループ数、（３）表示態様のいずれか１以上を、表示端末２が表示制御サーバ１へ事前に通信により通知するようにしてもよい。
【００７４】
また、上記説明した処理を実行させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【００７５】
【発明の効果】
以上説明したように、本発明の３次元仮想空間表示制御方法によれば、複数の画像のそれぞれに関連づけられた属性値により当該複数の画像をグループ化した場合の各グループの位置を示す位置情報を演算し、該演算された位置情報で示される位置に各グループの画像を位置させるので、属性値のおおまかな把握が容易になる。
【００７６】
また、本発明の３次元仮想空間表示制御システムによれば、１つの画像についての複数の属性値が含まれた属性情報が複数の画像について格納される属性情報記憶手段と、画像の表示先を示す表示先情報である端末情報が特定の情報でありグループ化に利用される属性値についての属性名の数が特定の数の場合は特定のグループ数でグループ化し同一グループ内での画像の表示態様を特定の表示態様にすることを示す定義情報が複数含まれる手段と、画像の表示先から該表示先を示す表示先情報を受信する手段と、属性情報記憶手段から予め定められた属性値を含む複数の属性情報を検索する手段と、前記複数の定義情報のなかの、受信された前記表示先情報と、グループ化に利用される属性値のものとして予め定められた属性名の数とについての定義情報を基に、属性情報を検索された前記複数の画像をグループ化する場合のグループ数を求め、前記受信された表示先情報と前記属性名の数とについての前記定義情報を基に、同一グループ内での画像の表示態様を求め、属性情報を検索された前記複数の画像を、予め定められた前記属性名の属性値により、求められた前記グループ数でグループ化した場合の、各グループの位置を示す位置情報を演算する手段と、画像の前記表示先に、属性情報を検索された前記複数の画像を表示させ、かつ表示の際に、前記演算された位置情報で示される位置に各グループの画像を位置させ、前記求められた表示態様にしたがって同一グループ内の画像を表示させる手段とを備えるので、画像の表示先においては、属性値のおおまかな把握が容易になる。
【図面の簡単な説明】
【図１】本発明の３次元仮想空間表示制御システムを含むシステムの構成を示す図である。
【図２】図１のシステムで表示される画像についての第１の表示態様を示す図である。
【図３】図１のシステムで表示される画像についての第２の表示態様を示す図である。
【図４】図１のシステムで表示される画像についての第３の表示態様を示す図である。
【符号の説明】
１  表示制御サーバ
２  表示端末
１１  表示制御部
１２  表示情報生成部
１３  配置情報生成部
１４  表示基本情報ＤＢ
１５  コンテンツ属性情報ＤＢ
１６  グループ化定義ファイル
２１  シーン表示部
【図１】
2005004614.tif 000003
【図２】
2005004614.tif 000004
【図３】
2005004614.tif 000005
【図４】
2005004614.tif 000006